(57)【要約】【課題】発光ダイオード照明灯の設置場所における照明方向の角度を、照明灯同士がダブって照射することの無いように、照明方向の角度を自由に容易に調整できる発光ダイオード照明灯を提供する。【解決手段】発光ダイオードが配置された基板を内装する透光性管状カバーと、該透光性管状カバーの両端開口部を閉鎖する固定部材と、該固定部材に形成された凹部と、該凹部に所定の角度づつ回転するように嵌合する後端面から電極ピンが突出する嵌合部材とを有する管端閉鎖部材であって、  前記固定部材の凹部内周面には、複数の凹凸部が形成され、前記嵌合部材の外周面には、該凹凸部に嵌合する凸部若しくは凹部が形成され、前記透光性管状カバーを所定の角度づつ回転させることによって、前記凹凸部を嵌合させることにより、嵌合位置を変えて位置決めすることを特徴とする。【選択図】図１
2011008980.tif 000002
【特許請求の範囲】
【請求項１】
発光ダイオードが配置された基板を内装する透光性管状カバーと、該透光性管状カバーの両端開口部を閉鎖する固定部材と、該固定部材に形成された凹部と、該凹部に所定の角度づつ回転するように嵌合する後端面から電極ピンが突出する嵌合部材とを有する管端閉鎖部材であって、
前記固定部材の凹部内周面には、複数の凹凸部が形成され、前記嵌合部材の外周面には、該凹凸部に嵌合する凸部若しくは凹部が形成され、前記透光性管状カバーを所定の角度づつ回転させることによって、前記凹凸部を嵌合させることにより、嵌合位置を変えて位置決めすることを特徴とする発光ダイオード照明灯。
【請求項２】
前記嵌合部材先端部のリング状の壁は、大径の円弧状壁と、該円弧状壁より多少小径の円弧状壁が間隔付けて位置し、小径の円弧状壁の外周に形成された凸部又は凹部が前記固定部材の凹部内周面の凹部若しくは凸部と嵌合し、前記大径の円弧状壁の端部が固定部材内周面の凹凸部の端部と当接してストッパーの役割をする請求項１記載の発光ダイオード照明灯。
【請求項３】
前記小径の円弧状壁と後方に連設する嵌合部材の壁との間には、周方向に細長い円弧状の長孔を形成する請求項１又は２記載の発光ダイオード照明灯。
【請求項４】
前記嵌合部材のソケット側の面には、ソケットへ接続する二本の電極ピンが嵌挿突出する孔が穿設されている請求項１〜３のいずれかに記載の発光ダイオード照明灯。
【請求項５】
前記電極ピンは、端子部材両側部に嵌合固定され、端子部材中央に形成された貫通孔は、前記固定部材中央に立設した小ロッドに回動自在に嵌合する請求項１〜４のいずれかに記載の発光ダイオード照明灯。
【請求項６】
前記固定部材底面の前記小ロッドの両側には、細長く外側が円弧状の開口が形成され、該開口に電線が挿通するようになっている請求項１〜５のいずれかに記載の発光ダイオード照明灯。
【請求項７】
前記固定部材底面の反対側の面には、外周の円弧状の壁両端部を中央に向けて折曲した透光性管状カバーの両端開口部に連結する連結部が形成されている請求項１〜６のいずれかに記載の発光ダイオード照明灯。
【発明の詳細な説明】
【技術分野】
【０００１】
この発明は、発光ダイオード（ＬＥＤ）照明灯の設置場所における照明方向の角度を容易に最適角度に調整することができる発光ダイオード照明灯に関するものである。
【０００２】
発光ダイオードを多数集合させた発光ダイオード照明灯は、省電力で発光強度の高いものがあり、発熱も少なく軽量である利点がある。更に、光の照射に指向性があり拡散しない特徴を有する。このように発光ダイオード照明灯は、従来の蛍光灯よりも省エネであるので、地球温暖化の原因である二酸化炭素削減効果があると言われている。
【０００３】
しかしながら、発光ダイオードを使用した照明灯は、ＬＥＤの発光特性に起因して、発光角度が通常蛍光灯の３６０°と比べて約１２０°位しかない問題があった。そのため、複数の発光ダイオード照明灯の光が、狭い範囲に集中し、その周囲が暗くなる現象が生じる欠点があった。
【発明の概要】
【発明が解決しようとする課題】
【０００４】
この発明は、このような点に鑑みなされたものであり、発光ダイオード照明灯の設置場所における照明方向の角度を、照明灯同士がダブって照射することの無いように、照明方向の角度を自由に容易に調整できる発光ダイオード照明灯を提供することを目的とする。
【課題を解決するための手段】
【０００５】
上記目的に沿う本発明の構成は、発光ダイオードが配置された基板を内装する透光性管状カバーと、該透光性管状カバーの両端開口部を閉鎖する固定部材と、該固定部材に形成された凹部と、該凹部に所定の角度づつ回転するように嵌合する後端面から電極ピンが突出する嵌合部材とを有する管端閉鎖部材であって、
前記固定部材の凹部内周面には、複数の凹凸部が形成され、前記嵌合部材の外周面には、該凹凸部に嵌合する凸部若しくは凹部が形成され、前記透光性管状カバーを所定の角度づつ回転させることによって、前記凹凸部を嵌合させることにより、嵌合位置を変えて位置決めすることを特徴とする(請求項１)。
【０００６】
前記嵌合部材先端部のリング状の壁は、大径の円弧状壁と、該円弧状壁より多少小径の円弧状壁が間隔付けて位置し、小径の円弧状壁の外周に形成された凸部又は凹部が前記固定部材の凹部内周面の凹部若しくは凸部と嵌合し、前記大径の円弧状壁の端部が固定部材内周面の凹凸部の端部と当接してストッパーとなるように構成するのが好ましい(請求項２)。
【０００７】
前記小径の円弧状壁と後方に連設する嵌合部材の壁との間には、周方向に細長い円弧状の長孔を形成するのが好ましい(請求項３)。
前記嵌合部材の後端の面には、ソケットへ接続する二本の電極ピンが嵌挿突出する孔を穿設するのが良い(請求項４)。
前記電極ピンは、端子部材両側部に嵌合固定され、端子部材中央に形成された貫通孔は、前記固定部材中央に立設した小ロッドに回動自在に嵌合するのが好ましい(請求項５)。
【０００８】
前記固定部材底面の前記小ロッドの両側には、細長く外側が円弧状の開口が形成され、該開口に電線が挿通するようになっている(請求項６)。
前記固定部材底面の反対側の面には、外周の円弧状の壁両端部を中央に向けて折曲した透光性管状カバーの両端開口部に連結する連結部が形成されている(請求項７)。
【発明の効果】
【０００９】
以上述べたごとく、請求項１に記載の発明によれば、単に透光性管状カバーを所定の角度づつ回転させることによって、嵌合部材が所定の角度回転するので、光の方向を所望の方向に変えることができるから、指向性のある発光ダイオード照明灯であっても、設置場所における照明の角度を容易に最適角度に調整することができる。
【図面の簡単な説明】
【００１０】
【図１】本発明の管端閉鎖部材の分解斜視図である。
【図２】本発明の固定部材を示す斜視図である。
【図３】本発明の嵌合部材を示す斜視図である。
【図４】本発明の管端閉鎖部材の横断面図であり、（Ａ）嵌合部材を所定の角度回転した状態を示し、（Ｂ）嵌合部材がストッパーによりストップした状態を示す。
【発明を実施するための形態】
【００１１】
次に、本発明の実施の形態を図面に基づいて説明する。
【００１２】
図１は、本発明の管端閉鎖部材の分解斜視図であり、図１に示す筒状体の上端が３個の貫通孔を除いて閉鎖された嵌合部材１と、該嵌合部材１上端両側部の貫通孔２，２´に嵌挿される電極ピン３，３´を嵌挿固定した端子部材４と、透光性管状カバーの両端開口部を閉鎖する固定部材５とから構成した例を示す。
【００１３】
固定部材５は、図２に示すように、嵌合部材１が嵌合する凹部６が形成され凹部６底面中央には、小ロッド７が立設している。該ロッド７に、端子部材４中央の円筒状嵌合部８が、回動自在に外嵌している。
【００１４】
図２〜図４に示すように、固定部材５の内壁には、凹凸部９が形成されている。嵌合部材１の下部（図１において）外周には、図３に示すように、固定部材５の凹凸部９に嵌合する突起１０が形成されている。
【００１５】
前記嵌合部材先端部(図１において下部)のリング状の壁は、図３に示すように、大径の円弧状壁１１と、該円弧状壁１１より多少小径（大体突起１０の高さ程度小径）の円弧状壁１２が間隔付けて対向位置し、小径の円弧状壁と連設する(図１では上方に)嵌合部材の壁との間には、周方向に細長い円弧状の長孔１３が形成されている。
【００１６】
図４（Ａ）及び（Ｂ）に示すように、この実施例においては、凹凸部９には、５個の凹部が形成され、突起１０が図４（Ａ）の左端の凹部から１個右側に嵌合させると、発光ダイオード蛍光灯は１５°回転するようになっている。従って、この実施例では、発光ダイオード蛍光灯は最大６０°回転できるようになっている。
【００１７】
図４（Ｂ）は、６０°回転した状態であるが、嵌合部材の大径の円弧状壁１１の端部が固定部材５の凹凸部９の端部に当接してストッパーになっている。
【００１８】
大径の円弧状壁１１の円弧状部を小さくし、小径の円弧状壁１２を大きくし、凹凸部９の凹部の数を多くすることによって、最大回転角度を大きくすることが出来る。尚、小径の円弧状壁１２だけとすれば、３６０°回転させることもできる。
固定部材５と嵌合部材１に回転角度がわかる印をつけておけば、特に上記のようなストッパーを設けなくともよい。また、最後に嵌合する凹凸部をそれ以上回転しないストッパーのように形成しても良い。
【００１９】
前記固定部材５底面の前記ロッド７の両側には、細長く外側が円弧状の開口１４，１４´が、ロッド７を挟んで形成されている。該開口に端子部材に固定された電線１５，１５´が挿通するようになっている。
前記固定部材底面の反対側の面には、外周の円弧状の壁両端部を中央に向けて折曲した透光性管状カバーの両端開口部に連結する連結部１６が形成されている。
【００２０】
嵌合部材の上端(図１において)中央には、貫通孔１７が形成されているが、ここに固定用ピースを挿入し、ロッド７の中央に形成された孔にねじ込み固定するものである。
【００２１】
本発明の固定部材及び嵌合部材の材質は、アクリル等の可とう性合成樹脂、アルミニウム等の金属等、この種目的に使用される材料は、いずれも使用できる。可とう性合成樹脂とか柔らかい金属で形成し、凹凸部を嵌合させることによって、容易に一定の角度づつ回転させることができる。また、小径のリング状壁と連設する嵌合部材の壁との間に、周方向に細長い円弧状の長孔１３を形成することによって、回転をスムーズに行わせることができる。金属等の硬い材料で形成する場合は、例えば凸部がばねの力に抗して下降するように構成すればよい。
【産業上の利用可能性】
【００２２】
以上述べたごとく、本発明によれば、単に透光性管状カバーを所定の角度づつ回転させるだけで、照明方向を所望の方向に変えることができるので、指向性のある発光ダイオード照明灯であっても、設置場所における照明の角度を容易に最適角度に調整することができ、従来のＬＥＤ照明灯を一般蛍光灯のようにしたものであるから、省資源、地球温暖化防止の見地からも、広く普及することが期待される。
【符号の説明】
【００２３】
１・・・・・・・・・嵌合部材
２，２´・・・・・・・・・嵌合部材上端両側部の貫通孔
３，３´・・・・・・・・・電極ピン
４・・・・・・・・・端子部材
５・・・・・・・・・固定部材
６・・・・・・・・・固定部材の凹部
７・・・・・・・・・小ロッド
８・・・・・・・・・円筒状嵌合部
９・・・・・・・・・凹凸部
１０・・・・・・・・・凹凸部に嵌合する突起
１１・・・・・・・・・大径の円弧状壁
１２・・・・・・・・・小径の円弧状壁
１３・・・・・・・・・円弧状の長孔
１４，１４´・・・・・・・・・円弧状の開口
１５，１５´・・・・・・・・・電線
【図１】
2011008980.tif 000003
【図２】
2011008980.tif 000004
【図３】
2011008980.tif 000005
【図４】
2011008980.tif 000006